(57)【要約】【課題】情報通信端末を使用する現地において、その利用者が所望する現地以外の地域の時刻を知ることを可能にすることである。【解決手段】外国にやってきた利用者が、その外国仕様の携帯電話機本体１００Ｂに自分のＵＳＩＭ１２２を装着し、携帯電話機の電源をＯＮすると、時計部から基準時刻データが読み出され、これを基準としてクロック信号に基づき、現地時刻がカウントされる。そして、現地の時刻と母国の時刻との時差を示す時差データがＵＳＩＭから読み出され、これを現地時刻データに加算する処理を行い、母国時刻データを得る。そして、携帯電話機の表示部に、現地時刻及び母国時刻を表示部１１９にそれぞれ表示させる。【選択図】  図１
2004340684.tif 000002
【特許請求の範囲】
【請求項１】
時刻を発生する時刻発生手段を有し、利用者の情報を保存した利用者情報保存用の記録媒体を着脱自在に備えた情報通信端末において、
上記利用者情報保存用の記録媒体には、上記時刻発生手段により発生した時刻を進ませる又は遅らせるための時刻増減データが記録されており、
該時刻発生手段により発生した時刻に対して、該利用者情報保存用の記録媒体に記録されている時刻増減データを加算又は減算する計算手段と、
該計算手段による計算後の時刻及び該時刻発生手段により発生した時刻を、それぞれ選択的に報知するための時刻報知手段とを備えることを特徴とする情報通信端末。
【請求項２】
請求項１の情報通信端末において、
上記利用者情報保存用の記録媒体には、互いに異なる時刻増減データが記録されており、
上記計算手段が計算に使用する時刻増減データを選択するための時刻増減データ選択手段を備えることを特徴とする情報通信端末。
【請求項３】
請求項２の情報通信端末において、
当該情報通信端末が位置する地域を特定するための地域情報を取得するための地域情報取得手段を有し、
上記利用者情報保存用の記録媒体に記録されている各時刻増減データは、互いに適用される時刻が異なる地域を特定するための地域情報にそれぞれ関連づけられており、
上記時刻増減データ選択手段は、該地域情報取得手段により取得した地域情報に対応する時刻増減データを該利用者情報保存用の記録媒体から選択することを特徴とする情報通信端末。
【請求項４】
請求項１、２又は３の情報通信端末において、
上記時刻増減データを外部記憶装置から取得して、該時刻増減データを上記利用者情報保存用の記録媒体に登録する登録手段を備えたことを特徴とする情報通信端末。
【請求項５】
情報通信端末に着脱可能な、利用者の情報を保存した利用者情報保存用の記録媒体において、
上記情報通信端末に設けられた時刻を発生する時刻発生手段により発生した時刻を進ませる又は遅らせるための時刻増減データを記録するための時刻増減データ記憶領域を有することを特徴とする利用者情報保存用の記録媒体。
【発明の詳細な説明】
【０００１】
【発明の属する技術分野】
本発明は、利用者情報保存用の記録媒体を装着して使用する携帯電話機等の情報通信端末及び利用者情報保存用の記録媒体に関するものである。
【０００２】
【従来の技術】
従来、この種の情報通信端末として、利用者情報保存用の記録媒体としてのＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）が着脱可能な携帯電話機（以下、「ＵＳＩＭ対応携帯電話機」という。）が知られている（例えば、特許文献１参照）。このＵＳＩＭは、例えばＩＣカードで構成され、携帯電話通信事業者から発行され、ＵＳＩＭ対応携帯電話機を利用する利用者（携帯電話機の契約者）の情報等を記録している。このＵＳＩＭを複数のＵＳＩＭ対応携帯電話機に対して挿し替えて使用することにより、それらの複数の電話機を同じ契約者扱いで利用することができる。このような利用が可能となることで、利用者は、用途に応じて複数のＵＳＩＭ対応携帯電話機を使い分ける場合でも、同じ契約者扱いで利用することができる。
【０００３】
また、このようなＵＳＩＭ対応携帯電話機は、差し込まれるＵＳＩＭが替われば、新たに差し込まれたＵＳＩＭの所有者が契約者となる。よって、ＵＳＩＭ対応携帯電話機を、複数の利用者間で使い回すという用途にも利用することができる。このような用途に着目すれば、例えば、外国からやってきた旅行者等にその外国に適合したＵＳＩＭ対応携帯電話機を貸し出すサービスを提供することもできる。このようなサービスによれば、旅行者等は、自分が母国で普段使用しているＵＳＩＭ対応携帯電話機が旅行先の外国で使用できなくても、借りたＵＳＩＭ対応携帯電話機に自分のＵＳＩＭを差し込むことで、その外国で同じ契約者扱いのまま携帯電話機を利用できる。携帯電話機の仕様は世界共通ではない上、頻繁に外国に出るビジネスマン等ならともかく、一般の旅行者等が普段使用している携帯電話機は、通常、上述のように母国の領域内でしか使用できないものである。したがって、旅行先の外国において、その外国の仕様が適用されたＵＳＩＭ対応携帯電話機を借りることで、同じ契約者扱いのまま携帯電話機を使用できるというメリットは、旅行者等にとって非常に大きいものである。
【０００４】
一方、携帯電話機等の情報通信端末は、一般に、基準時刻データに基づき時刻を発生する時刻発生手段を備えている。この時刻発生手段が発生する時刻は、通常、その情報通信端末が使用される地域で適用されている時刻である。そのため、例えばその情報通信端末が外国でも使用できるものであれば、その利用者は旅行先の外国で自分の情報通信端末を使用することができる。しかし、このように外国で自分の情報通信端末を使用する場合、その情報通信端末の時刻発生手段により発生する時刻を旅行先の外国で適用される時刻に変更しないと、現地時刻を知ることができない。このような時刻変更を簡単に行うことができる情報通信端末としては、例えば特許文献２に開示された携帯電話装置が知られている。この携帯電話装置は、利用者の母国（日本）の時刻と各国の時刻との時差データを予め記憶されている。そして、基地局から送信される国のＩＤコードを取得することで、その国に対応する時差データを読み出し、この時差データを時計手段から読み出した時刻データ（日本の時刻データ）に加えることで、現在時刻の設定を自動的に変更する。このような時刻補正機能により、外国に行くたびに利用者自身がいちいち時刻の設定変更を行わなくても、携帯電話装置の現在時刻の設定が自動的に現地の時刻に変更される。
【０００５】
【特許文献１】
特開２００２−１３５４０７号公報
【特許文献２】
特開２００１−３６９６６号公報（第６頁右欄〜第７頁左欄）
【０００６】
【発明が解決しようとする課題】
従来のＵＳＩＭ対応携帯電話機は、時刻を発生する時刻発生手段は備えているものの、この時刻発生手段により発生する時刻は、そのＵＳＩＭ対応携帯電話機が普段使用されている国で適用されている時刻である。このような従来のＵＳＩＭ対応携帯電話機では、普段使用されている国以外の地域における時刻を、表示等により利用者が知ることはできなかった。
しかし、ＵＳＩＭ対応携帯電話機の利用者は、旅行先等の外国において、その外国の現地時刻だけでなく、母国の時刻など現地以外の地域の時刻を知りたい場合が多い。特に、ＵＳＩＭ対応携帯電話機は、上述のように、外国からやってきた旅行者等に使い回されるという通常の携帯電話機にはない用途に利用できる。そのため、ＵＳＩＭ対応携帯電話機は、通常の携帯電話機に比べて、その電話機が使用される現地とは異なる地域が母国である利用者に利用される機会がはるかに多い。そのため、ＵＳＩＭ対応携帯電話機に対しては、利用者が外国にいるときに、その外国の現地時刻だけでなく、母国の時刻などの現地以外の地域の時刻を知りたいという要望が強い。
【０００７】
一方、上記特許文献２に開示された携帯電話装置は、その時刻発生手段が発生する時刻の設定を、その携帯電話装置が位置している現地の時刻に自動的に変更してしまうものである。よって、このような変更を行った後は、利用者は、現地時刻を知ることはできるようになるが、現地以外の地域の時刻を知ることはできない。
【０００８】
なお、現地時刻だけでなく、母国の時刻などの現地以外の地域の時刻を知りたいという要望は、ＵＳＩＭ対応携帯電話機の場合だけでなく、ＵＳＩＭ等の利用者情報保存用の記録媒体を装着して使用することができる情報通信端末でも同様である。
【０００９】
本発明は、上記問題に鑑みなされたものであり、その目的とするところは、利用者が所望する現地以外の地域の時刻を知ることが可能な情報通信端末、及び、情報通信端末に着脱可能な利用者情報保存用の記録媒体を提供することである。
【００１０】
【課題を解決するための手段】
上記目的を達成するために、請求項１の発明は、時刻を発生する時刻発生手段を有し、利用者の情報を保存した利用者情報保存用の記録媒体を着脱自在に備えた情報通信端末において、上記利用者情報保存用の記録媒体には、上記時刻発生手段により発生した時刻を進ませる又は遅らせるための時刻増減データが記録されており、該時刻発生手段により発生した時刻に対して、該利用者情報保存用の記録媒体に記録されている時刻増減データを加算又は減算する計算手段と、該計算手段による計算後の時刻及び該時刻発生手段により発生した時刻を、それぞれ選択的に報知するための時刻報知手段とを備えることを特徴とするものである。
また、請求項２の発明は、請求項１の情報通信端末において、上記利用者情報保存用の記録媒体には、互いに異なる時刻増減データが記録されており、上記計算手段が計算に使用する時刻増減データを選択するための時刻増減データ選択手段を備えることを特徴とするものである。
また、請求項３の発明は、請求項２の情報通信端末において、当該情報通信端末が位置する地域を特定するための地域情報を取得するための地域情報取得手段を有し、上記利用者情報保存用の記録媒体に記録されている各時刻増減データは、互いに適用される時刻が異なる地域を特定するための地域情報にそれぞれ関連づけられており、上記時刻増減データ選択手段は、該地域情報取得手段により取得した地域情報に対応する時刻増減データを該利用者情報保存用の記録媒体から選択することを特徴とするものである。
また、請求項４の発明は、請求項１、２又は３の情報通信端末において、上記時刻増減データを外部記憶装置から取得して、該時刻増減データを上記利用者情報保存用の記録媒体に登録する登録手段を備えたことを特徴とするものである。
また、請求項５の発明は、情報通信端末に着脱可能な、利用者の情報を保存した利用者情報保存用の記録媒体において、上記情報通信端末に設けられた時刻を発生する時刻発生手段により発生した時刻を進ませる又は遅らせるための時刻増減データを記録するための時刻増減データ記憶領域を有することを特徴とするものである。
【００１１】
請求項１の情報通信端末では、時刻発生手段が発生する時刻に、この時刻を進ませる又は遅らせるための時刻増減データを加算又は減算する計算を行う。この算出後の時刻と、時刻発生手段により発生した時刻すなわち算出前の時刻は、ディスプレイやスピーカなどの報知手段により、それぞれ選択的に報知することができる。すなわち、本情報通信端末は、算出後の時刻及び算出前の時刻の両方が、常に報知可能な状態になっており、これらの時刻はそれぞれ利用者の操作等に応じて選択的に報知できるようになっている。そして、時刻発生手段が発生する時刻は当該情報通信端末が使用される現地の時刻であることから、時刻発生手段が発生する時刻に対する、利用者が知りたいと思う現地以外の地域の時刻の差分を示す時刻増減データを、予め自分の利用者情報保存用の記録媒体に記憶しておけば、利用者は、報知手段により、所望する現地以外の地域の時刻を知ることができる。
ここで、本情報通信端末では、計算時に使用される時刻増減データが、情報通信端末に着脱可能に装着される利用者情報保存用の記録媒体に記録されている。なお、この時刻増減データは、利用者情報保存用の記録媒体の記録媒体のように情報通信端末に着脱自在な記録媒体に記録されたものではなく、情報通信端末本体に内蔵された記録媒体に記録されたものであっても、同様に上記計算を行うことは可能である。しかし、利用者情報保存用の記録媒体が着脱可能な情報通信端末は、ＵＳＩＭ対応携帯電話機に代表されるように、複数の利用者間で使い回すという上述した用途に利用できるという特徴がある。そして、利用者が知りたいと思う現地以外の時刻は、利用者によって千差万別である。したがって、このような情報通信端末本体に内蔵された記録媒体に時刻増減データを記録しておく場合には、あらゆる利用者が所望すると推測される地域の時刻に関する時刻増減データを予め記録しておかなければならない。これに対し、本請求項の情報通信端末では、利用者が情報通信端末を使用する際にその情報通信端末に装着される利用者情報保存用の記録媒体に、時刻増減データを記録している。したがって、利用者が、自分の利用者情報保存用の記録媒体に、自分が所望する現地以外の地域の時刻に関する時刻増減データを記憶しておきさえすれば、情報通信端末本体が複数の利用者に使い回される場合でも、各利用者がそれぞれ所望する現地以外の地域の時刻を各利用者に知らせることができる。
【００１２】
請求項２の情報通信端末は、利用者情報保存用の記録媒体に、複数の時刻増減データが記録されており、その複数の時刻増減データの中から、計算手段が計算に使用する時刻増減データが選択される。よって、利用者情報保存用の記録媒体に複数の時刻増減データが記録されていても、例えば利用者が適切な時刻増減データを選択することで、利用者が所望する現地以外の地域の時刻を報知することができる。したがって、利用者が所望する現地以外の地域の時刻が複数ある場合でも、これらすべてを自分の利用者情報保存用の記録媒体に記憶しておくことで、現地において、利用者が所望する現地以外の複数地域の時刻を任意に選択してその時刻を知ることが可能となる。
【００１３】
請求項３の情報通信端末は、利用者情報保存用の記録媒体に記憶されている複数の時刻増減データが、互いに適用される時刻が異なる地域を特定するための地域情報にそれぞれ関連づけられている。そして、情報通信端末が位置する地域を特定するための地域情報を取得することで、時刻増減データ選択手段により、その地域情報に対応した時刻増減データが利用者情報保存用の記録媒体から選択され、計算手段の計算処理に使用される。よって、利用者が複数の外国に訪れる場合、自分の利用者情報保存用の記録媒体に、これらの外国の現地時刻に対する、自分が所望する現地以外の地域の時刻に関する時刻増減データを記録しておけば、利用者が外国に訪れたときに、自分が所望する現地以外の地域の時刻を自動的に知ることができる。なお、地域情報としては、例えば網番号を用いることができる。この網番号は、情報通信端末が位置する地域に設置された基地局から情報通信端末に向けて一方的に送信されている情報であり、一般に国ごとに異なるものである。よって、この網番号を取得することで、情報通信端末が位置している国を情報通信端末が認識することができる。
【００１４】
請求項４の情報通信端末は、時刻増減データを外部記憶装置からダウンロードして、これを利用者情報保存用の記録媒体に登録することができる。よって、利用者は、情報通信端末を使って時刻増減データをダウンロードすることで、簡単に所望の時刻増減データを利用者情報保存用の記録媒体に登録することができる。
【００１５】
請求項５の利用者情報保存用の記録媒体は、時刻増減データ記憶領域に、情報通信端末の時刻発生手段により発生した時刻を進ませる又は遅らせるための時刻増減データが記録されている。よって、本利用者情報保存用の記録媒体を上述した請求項１乃至４の情報通信端末の本体に装着することで、請求項１乃至４の情報通信端末と同様の効果を得ることができる。
【００１６】
なお、上記「情報通信端末」には、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式、ＴＩＡ（Ｔｅｌｅｃｏｍｍｕｎｉｃａｔｉｏｎｓ  Ｉｎｄｕｓｔｒｙ  Ａｓｓｏｃｉａｔｉｏｎ）方式等の携帯電話機、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００で標準化された携帯電話機、ＰＨＳ（Ｐｅｒｓｏｎａｌ  Ｈａｎｄｙｐｈｏｎｅ  Ｓｅｒｖｉｃｅ）、自動車電話等の電話機のほか、携帯電話モジュールを付加した情報通信端末も含まれる。
また、上記「外部記憶装置」としては、例えば、インターネット等のＷＥＢサイトを提供するＷＥＢサーバや、情報通信端末に設けられる外部接続端子に接続されるパソコンや携帯型メモリー装置などが挙げられる。
また、上記情報通信端末における制御は、その情報通信端末内に設けられたコンピュータで所定のプログラムを実行することによって実現することもできる。このコンピュータで用いるプログラムの受け渡しは、デジタル情報としてプログラムを記録したＦＤやＣＤ−ＲＯＭ等の記録媒体を用いて行ってもいいし、コンピュータネットワーク等の通信ネットワークを用いて行ってもよい。
【００１７】
【発明の実施の形態】
以下、本発明の実施の形態を図面を参照しながら説明する。
図２は、本発明に係る情報通信端末としてのＵＳＩＭ対応携帯電話機（以下、単に「携帯電話機」という。）の概略構成図である。この携帯電話機の本体部分１００は、制御部１１１、内部メモリ１１２、無線通信部１１３及びアンテナ１１４を備えている。また、制御部１１１には、音声処理部１１５を介してマイク１１６及びスピーカ１１７が接続され、画像処理部１１８を介して表示部１１９が接続され、更にキー操作部１２０及び時計部１３０が接続されている。また、上記携帯電話機は、利用者情報保存用の記録媒体としてのＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）１２２が着脱可能に構成されている。
【００１８】
上記制御部１１１は例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。また、この制御部１１１は、後述のＵＳＩＭ１２２との間の情報の書込及び読出のための制御を行う制御手段としても用いられる。
上記内部メモリ１１２は例えばＲＡＭやＲＯＭなどの半導体メモリで構成され、制御部１１１で実行する制御プログラムや各種データを記憶するものである。また、この内部メモリ１１２は、情報提供サイトなどからダウンロードした画像、音楽、プログラム等のコンテンツデータを記憶するコンテンツデータ記憶手段としても用いられる。
【００１９】
上記無線通信部１１３は制御部１１１で制御され、アンテナ１１４を介して、所定の通信方式により携帯電話通信網３００の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。
上記音声処理部１１５は、マイクロフォン１１６から入力された送話音声信号を所定方式で符号化して制御部１１１に送る。また、この音声処理部１１５は、無線通信部１１３で受信した受話音声信号を復号化してスピーカ１１７から出力する。更に、この音声処理部１１５は、内部メモリ１１２に記憶されている着信メロディやアプリケーションプログラムで用いる効果音等の音信号をスピーカ１１７から出力する。
上記画像処理部１１８は、無線通信部１１３で受信した画像データや、内部メモリ１１２に記憶されているアイコンやメニュー等の画像データを処理し、液晶ディスプレイ（ＬＣＤ）等からなる時刻報知手段としての表示部１１９に表示させる。また、この画像処理部１１８は、現地時刻データ及び後述する母国時刻データを、制御部１１１から受け取ることで、これらの時刻を表示部１１９に表示させる。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
【００２０】
上記ＵＳＩＭ１２２は例えばＩＣカードで構成され、携帯電話機の図示しないＵＳＩＭスロットに対して着脱可能になっている。このＵＳＩＭ１２２は例えば携帯電話通信事業者から発行され、携帯電話機を利用する利用者（携帯電話機の契約者）の情報及び後述する時刻増減データ等が記録される。このＵＳＩＭ１２２を携帯電話機に装着することにより、その携帯電話機を所定の契約内容で使用することができる。また、このＵＳＩＭ１２２を複数の携帯電話機に対して挿し替えて使用することにより、それらの複数の携帯電話機を同じ契約者扱いで利用することができる。
【００２１】
また、上記ＵＳＩＭ１２２は、図２に示すようにＵＳＩＭ１２２内に記憶するデータの読み出し及び書き込みの制御などを行う制御手段としての制御部１２２ａと、データ記憶手段としてのメモリ１２２ｂとを備えている。このメモリ１２２ｂには、上記利用者の情報を記憶する利用者情報記憶領域のほか、利用者がそのＵＳＩＭを装着して使用する携帯電話機が位置する現地（外国）とは適用される時刻が異なる現地以外の地域（母国）の時刻である母国時刻を計算するための時刻増減データとしての時差データを記憶しておく時差データ記憶領域（時刻増減データ記憶領域）が設定されている。この時差データ記憶領域に対する時差データの書き込み及び読み出しは、携帯電話機本体側の制御部１１１で制御される。
【００２２】
図３は、上記ＵＳＩＭ１２２のメモリ１２２ｂ内のファイルシステムの一例を示す説明図である。このメモリ１２２ｂのファイルシステムでは、最上位のディレクトリーであるＭＦ（Ｍａｓｔｅｒ  Ｆｉｌｅ）が存在し、その下に、実際にデータが保存されるＥＦ（Ｅｌｅｍｅｎｔａｒｙ  Ｆｉｌｅ）や下位のディレクトリーであるＤＦ（Ｄｅｄｉｃａｔｅｄ  Ｆｉｌｅ）が設けられている。このＤＦの一つを母国時刻を計算するための時差データ用のディレクトリーとして設定し、このＤＦ内にその時差データを保存するＥＦＴＤ１なるファイルを作成しておく。
【００２３】
次に、本発明の特徴部分である、上記携帯電話機の表示部１１９に現地時刻及び利用者の母国時刻を表示する処理について説明する。なお、以下では、利用者が旅行先の外国に自分のＵＳＩＭ１２２を持って行って、これをその外国の仕様に適合した上記携帯電話機の本体部分に装着して利用する利用態様の一例について説明するが、この利用態様に限られるものではない。
【００２４】
図１は、本実施形態における携帯電話機及びこれに着脱自在に装着されるＵＳＩＭの利用態様の説明図である。
一般に、旅行先の外国に行く利用者が母国で普段使用している携帯電話機本体１００Ａは、旅行先の外国の仕様に適合していない。そのため、旅行先の外国では、自分が普段使用している携帯電話機本体１００Ａを使用できない。しかし、利用者は、旅行先の外国の仕様に適合した携帯電話機本体１００Ｂに、自分が普段使用しているＵＳＩＭ１２２を装着すれば、同じ契約者扱いで、その外国で携帯電話機を使用することができる。このようにＵＳＩＭ１２２を利用して外国で携帯電話機を使用するとき、利用者は、図１に示すように、その携帯電話機本体１００Ｂの表示部１１９に、現地時刻だけでなく、自分の母国の時刻をも表示させたい場合が多い。
なお、本実施形態では、利用者が外国で使用する携帯電話機本体１００Ｂは、その外国専用のものであるため、その時計部１３０の基準時刻データは、その外国における現地時刻データに予め設定されている。
【００２５】
また、ＵＳＩＭ１２２のメモリに記憶された時差データは、利用者の旅行先の外国における現地時刻と利用者の母国における母国時刻との時差を示すものである。この時差データは、例えば、母国の携帯電話機１００ＡにＵＳＩＭ１２２を装着した状態で、図１に示すように、その携帯電話機の通信機能を利用してインターネット等のＷＥＢサイトからダウンロードする。そして、ダウンロードした時差データを、旅行に行く前に予めＵＳＩＭ１２２のメモリ１２２ｂに記憶しておく。この場合、アンテナ１１４、無線通信部１１３及び制御部１１１が登録手段として機能する。なお、時差データを旅行先の外国やその他の地域でダウンロードしてもよいことは言うまでもない。ＷＥＢサイトを提供する外部記憶装置であるＷＥＢサーバ２００には、利用者の母国と、この母国とは適用される時刻が異なる多数の国との時差データが、それぞれ個別に記録されている。よって、本実施形態では、利用者は、旅行先の外国における時刻と母国における時刻との時差データだけをダウンロードしておけばよい。なお、時差データは、利用者の母国と、この母国とは適用される時刻が異なる多数の国との時差データが１つのファイルとなったものであってもよい。
【００２６】
図４は、外国仕様の携帯電話機本体１００Ｂにおける表示部１１９に母国時刻を表示させるための表示制御の手順を示すフローチャートである。なお、以下の説明では、外国仕様の携帯電話機本体１００Ｂを、単に携帯電話機本体１００と記載する。
まず、外国にやってきた利用者が、その外国仕様の携帯電話機本体１００に自分のＵＳＩＭ１２２を装着し、携帯電話機の電源をＯＮすると（Ｓ１）、制御部１１１は時計部１３０から基準時刻データを読み出す（Ｓ２）。なお、この基準時刻データは、上述したとおり、旅行先の外国における現地時刻を示すものである。この基準時刻データを読み出した制御部１１１は、この基準時刻データを基準に、クロック信号に基づいて現地時刻を発生させる現地時刻カウント処理を行う（Ｓ３）。よって、本実施形態では、制御部１１１及び時計部１３０によって、時刻発生手段が実現されている。また、携帯電話機本体１００からＵＳＩＭ１２２に対して、時差データ読出指令が送信される。この時差データ読出指令は、ＵＳＩＭ１２２内の所定のファイルＥＦＴＤ１に記憶されている時差データを読み出すための指令であり、ＵＳＩＭと携帯電話機本体１００との間の標準のＡＰＤＵ（Ａｐｐｌｉｃａｔｉｏｎ  Ｐｒｏｇｒａｍ  Ｄａｔａ  Ｕｎｉｔ）コマンドが用いられる。具体的には、『ＲＥＡＤ  ＢＩＮＡＲＹ』コマンドが携帯電話機本体１００からＵＳＩＭ１２２に送信される。ＵＳＩＭ１２２から読み出された時差データは、ＡＰＤＵレスポンスとして、ＵＳＩＭ１２２から携帯電話機本体１００へ送信される（Ｓ４）。
【００２７】
このようにしてＵＳＩＭ１２２から時差データを受け取った携帯電話機本体１００の制御部１１１は、計算手段として機能し、母国時刻を算出する（Ｓ５）。具体的には、制御部１１１は、上記現地時刻カウント処理で発生した現地時刻データに、ＵＳＩＭ１２２から読み出した時差データを加算する処理を行う。なお、本実施形態では、時差データが旅行先の外国における現地時刻を基準とした時差を示すものであるため、現地時刻データに時差データを加算しているが、時差データが母国時刻を基準とした時差を示すものである場合には、現地時刻データから時差データを減算する処理を行う。このような処理により算出された母国時刻データ及び現地時刻データは、制御部１１１から、画像処理部１１８に出力される（Ｓ６）。
【００２８】
なお、制御部１１１による母国時刻の算出は、上記現地時刻カウント処理においてカウントを行うたびに行うようにしてもよいが、消費電力を抑えるため、その計算間隔をそのカウント間隔よりも長く設定するのが望ましい。例えば、上記現地時刻カウント処理で２回カウントするごとに、母国時刻を１回算出するようにしてもよい。また、表示部１１９に表示される母国時刻の表示形式に応じて、母国時刻の計算間隔を設定してもよい。例えば、母国時刻の表示形式が時分だけでなく秒まで表示するものである場合には、少なくとも１秒に１回の間隔で母国時刻の計算を行い、母国時刻の表示形式が時分だけで表示するものである場合には、少なくとも１分に１回の間隔で母国時刻の計算を行う。
なお、最初に時差データを読み出したときにその時差データを制御部１１１のキャッシュメモリに記憶しておき、２回目以降の母国時刻の算出時には、ＵＳＩＭ１２２からではなく、そのキャッシュメモリから時差データを読み出して母国時刻の計算を行うようにしてもよい。
【００２９】
画像処理部１１８は、制御部１１１から現地時刻データ及び母国時刻データを受け取ると、これらのデータに基づき、現地時刻及び母国時刻を表示部１１９にそれぞれ表示させる（Ｓ７）。なお、現地時刻や母国時刻を表示部１１９に表示させるか否かは、利用者がキー操作部１２０を操作することで任意に選択できるようにしてもよく、表示する代わりに、時刻報知手段であるスピーカ１１７により、音声等によって利用者に現地時刻や母国時刻を報知するようにしてもよい。この場合、利用者がキー操作部１２０に対して特定の操作を行ったときだけ、音声等によって報知するようにしてもよい。
【００３０】
以上、本実施形態によれば、利用者が自分のＵＳＩＭ１２２を旅行先の外国に持っていって、これをその外国の仕様に適合した携帯電話機本体１００Ｂに装着して利用する場合に、その携帯電話機本体の表示部１１９に、現地時刻だけでなく、母国時刻を表示させることができる。よって、利用者は、旅行先の外国において、現地時刻だけでなく、母国における時刻をも知ることができる。
【００３１】
なお、上記実施形態では、ＵＳＩＭ１２２のファイルＥＦＴＤ１には、旅行先の外国における時刻と母国における時刻との時差データしか記憶されていない。そのため、ＵＳＩＭ１２２は、携帯電話機本体１００から時差データ読出指令を受けるだけで、携帯電話機本体１００に適切な時差データを送信することができる。しかし、ＵＳＩＭ１２２のファイルＥＦＴＤ１に複数の時差データが記憶されていたり、あるいは、ＵＳＩＭ１２２に複数のファイルＥＦＴＤ１が記憶されていたりした場合には、その中のどの時差データを読み出すかを特定する必要がある。そこで、以下に説明する各変形例では、このようにＵＳＩＭ１２２に複数の時差データが記憶されている場合に、制御部１１１による母国時刻の計算処理に使用すべき適切な時差データ、すなわち、旅行先の外国における時刻と母国における時刻との時差データを、その複数の時差データの中から選択する処理について説明する。
【００３２】
〔変形例１〕
まず、母国時刻と、その母国時刻とは異なる時刻が適用される複数の国（旅行先の外国を含む）の時刻との時差をそれぞれ示す複数の時差データがＵＳＩＭ１２２に記録されている変形例（以下、本変形例を「変形例１」という。）について説明する。
図５は、本変形例１における、ＵＳＩＭ１２２から適切な時差データを読み出すための処理の流れを示すフローチャートである。
図６は、旅行先の外国における携帯電話通信網３００と、携帯電話機本体１００と、ＵＳＩＭ１２２との間の通信手順を示すシーケンス図である。
【００３３】
図６に示すように、携帯電話機の制御部１１１は、所定のタイミングで、無線通信部１１３を制御してアンテナ１１４から携帯電話通信網３００に向けて位置登録要求を送信している。この位置登録要求が携帯電話通信網３００の基地局に受信されると、位置登録データベースを備えた管理サーバに、上記携帯電話機の位置登録がなされる。位置登録がなされた後、携帯電話通信網３００からは、携帯電話機に向けて認証要求が送信され、これを受信した携帯電話機は、携帯電話通信網３００に向けて認証応答を送信する。その結果、携帯電話通信網３００からは、携帯電話機に向けて位置登録が完了した旨の位置登録完了通知が送信され、これを受信した携帯電話機は、位置登録完了通知を受領した旨の通知受領応答を送信する。このようにして、管理サーバは、携帯電話機と無線通信を行っている基地局を常時把握でき、携帯電話機との間の無線通信を確立している。
なお、上述した認証要求には、無線電話通信事業者ごとに割り振られた地域情報としての網番号が含まれている。そして、本変形例１は、その網番号から、携帯電話機が位置している国を認識する。
【００３４】
具体的には、図５に示すように、制御部１１１は、無線通信部１１３及びアンテナ１１４から構成される地域情報取得手段により認証要求に含まれる網番号を受け取ると（Ｓ１１）、時刻増減データ選択手段として機能する。内部メモリ１１２には、各網番号に対応する国の時差データを特定するための時差データ特定情報が網番号に関連づけられて記憶されている。よって、制御部１１１は、受け取った網番号に対応する時差データ特定情報を内部メモリ１１２から取得することで、ＵＳＩＭ１２２から読み出すべき適切な時差データ（現地時刻と母国時刻との時差を示す時差データ）を特定することができる（Ｓ１２）。そして、制御部１１１は、特定された時差データを読み出すための時差データ読出指令をＵＳＩＭ１２２に送信して、その時差データを読み出す（Ｓ１３）。
【００３５】
このように、本変形例１によれば、網番号に基づき、複数の時差データを記憶したＵＳＩＭ１２２の中から、現地時刻と母国時刻の時差データを自動的に読み出すことができる。これにより、利用者は、複数の外国にそれぞれ対応する複数の時差データを自分のＵＳＩＭ１２２に記憶しておいても、旅行先の外国において母国の時刻を適切に知ることができる。
【００３６】
〔変形例２〕
次に、旅行先の外国における現地時刻と、その現地時刻は異なる時刻が適用される複数の特定地域の特定時刻（母国時刻を含む）との時差をそれぞれ示す複数の時差データがＵＳＩＭ１２２に記録されている変形例（以下、本変形例を「変形例２」という。）について説明する。
図７は、本変形例２における、ＵＳＩＭ１２２から適切な時差データを読み出すための処理の流れを示すフローチャートである。
【００３７】
本変形例２において、利用者が携帯電話機のキー操作部１２０に対して特定の操作を行うと、携帯電話機の表示部１１９には、利用者に現地以外の時刻に表示させたい国に対応する時差データを選択させるための時差データ選択画面が表示される（Ｓ２１）。この時差データ選択画面には、例えばＵＳＩＭ１２２に記憶されている複数の時差データのリストを表示し、利用者は、時刻増減データ選択手段としてのキー操作部１２０を操作することで、所望の時差データを選択することができる。この操作内容が制御部１１１に入力されると、制御部１１１は、その操作内容により利用者が選択した時差データを認識する（Ｓ２２）。そして、制御部１１１は、利用者が選択した時差データを読み出すための時差データ読出指令をＵＳＩＭ１２２に送信して、その時差データを読み出す（Ｓ２３）。
【００３８】
このように、本変形例２によれば、利用者の選択により、複数の時差データを記憶したＵＳＩＭ１２２の中から、現地時刻と母国時刻との時差データを読み出すことができる。また、本変形例２によれば、このように、ＵＳＩＭ１２２の中に記憶された複数の時差データの中から、利用者が自由に選択できる。よって、旅行先の外国で利用者は、その外国以外の時刻を知りたい国に対応した時差データを予めＵＳＩＭ１２２に記憶しておけば、その外国において、利用者の選択により、母国の時刻を表示させたり、あるいは、現地でも母国でもない第三国の時刻を表示させたりすることができる。
【００３９】
なお、上述した実施形態では、説明を簡単化するため、母国及び旅行先の外国はそれぞれ単一の時刻が適用される国である場合を例に挙げて説明したが、国内の複数地域でそれぞれ異なる時刻が適用される国であっても、上記説明中の「国」を「地域」と読み替えれば、同様である。
また、本発明は、上記ＵＳＩＭ１２２などの利用者情報保存用の記録媒体が着脱可能なものであれば、携帯電話機以外の情報通信端末の場合にも適用できるものである。
【００４０】
【発明の効果】
請求項１乃至５の発明によれば、利用者が所望する現地以外の地域の時刻を知ることが可能となるという優れた効果がある。
【図面の簡単な説明】
【図１】本発明の実施形態に係る携帯電話機及びこれに着脱自在に装着されるＵＳＩＭの利用態様の説明図。
【図２】同携帯電話機の概略構成図。
【図３】ＵＳＩＭ内のファイルシステムの説明図。
【図４】外国仕様の携帯電話機本体における表示部に母国時刻を表示させるための表示制御の手順を示すフローチャート。
【図５】変形例１における、ＵＳＩＭから適切な時差データを読み出すための処理の流れを示すフローチャート。
【図６】旅行先の外国における携帯電話通信網と、携帯電話機本体と、ＵＳＩＭとの間の通信手順を示すシーケンス図。
【図７】変形例２における、ＵＳＩＭから適切な時差データを読み出すための処理の流れを示すフローチャート。
【符号の説明】
１００  携帯電話機の本体部分
１１１  制御部
１２２  ＵＳＩＭ（利用者情報保存用の記録媒体）
１３０  時計部
２００  Ｗｅｂサーバ
３００  携帯電話通信網
【図１】
2004340684.tif 000003
【図２】
2004340684.tif 000004
【図３】
2004340684.tif 000005
【図４】
2004340684.tif 000006
【図５】
2004340684.tif 000007
【図６】
2004340684.tif 000008
【図７】
2004340684.tif 000009